(57)【要約】【課題】メニューに戻らず、またメニュー階層をたどることなく情報の表示の操作ができるナビゲーションシステムを提供する。【解決手段】現在地及びユーザによって設定された行先地を含む設定画面を生成する生成手段１０２と、情報を表示する表示手段１０６と、現在地から行先地までの経路距離を算出する算出手段１０１とを備え、表示手段の画面を介して情報の表示がなされるナビゲーションシステムにおいて、設定画面を表示手段に表示する表示実行手段１０３と、表示手段に表示された設定画面の行先地の選択をユーザから受け付ける受付手段１０４と、選択に基づいて選択された行先地に関する情報又は行先地の設定に用いる情報を表示する処理手段１０５とを備える。【選択図】        図１
2004294245.tif 000002
【特許請求の範囲】
【請求項１】
現在地及びユーザによって設定された行先地を含む設定画面を生成する生成手段と、情報を表示する表示手段と、前記現在地から前記行先地までの経路距離を算出する算出手段とを備え、前記表示手段の画面を介して情報の表示がなされるナビゲーションシステムにおいて、
前記設定画面を前記表示手段に表示する表示実行手段と、
前記表示手段に表示された前記設定画面の行先地の選択を前記ユーザから受け付ける受付手段と、
前記選択に基づいて前記選択された前記行先地に関する情報又は前記行先地の設定に用いる情報を表示する処理手段とを、
備えることを特徴とするナビゲーションシステム。
【請求項２】
前記生成手段は、前記現在地と前記行先地とを前記経路距離に対応させて表示した前記設定画面を生成することを特徴とする請求項１に記載のナビゲーションシステム。
【請求項３】
前記設定画面の表示要求を入力する設定画面表示要求入力手段を更に備え、
前記表示実行手段は、前記設定画面の表示要求に基づいて前記設定画面を前記表示手段に表示することを特徴とする請求項１又は２に記載のナビゲーションシステム。
【請求項４】
情報を表示する表示手段を備え、前記表示手段の画面を介して情報の表示がなされるナビゲーションシステムにおいて、
ユーザが頻繁に使用する情報のリストである頻出リストを記憶する頻出リスト記憶手段と、
前記頻出リストを前記表示手段に表示する表示実行手段と、
前記表示手段に表示された前記頻出リストに挙げられた情報の選択を前記ユーザから受け付ける受付手段と、
前記選択に基づいて前記選択された前記頻出リストに挙げられた情報の内容を表示する処理手段とを、
備えることを特徴とするナビゲーションシステム。
【請求項５】
前記頻出リストの表示要求を入力する頻出リスト表示要求入力手段を更に備え、
前記表示実行手段は、前記頻出リストの表示要求に基づいて前記頻出リストを前記表示手段に表示することを特徴とする請求項４に記載のナビゲーションシステム。
【発明の詳細な説明】
【０００１】
【発明の属する技術分野】
本発明は、ナビゲーションシステムに関し、特に画面を介して情報の表示がなされるナビゲーションシステムに関する。
【０００２】
【従来の技術】
従来のカーナビゲーションシステムなどのナビゲーションシステムでは、情報を表示しようとする場合にメニューに戻り、メニュー階層を再度たどって操作する必要があった。上記のようなメニュー階層を再度たどって操作する必要があるカーナビゲーションシステムが以下の非特許文献１に記載されている。
【０００３】
【非特許文献１】
ＫＥＮＷＯＯＤ  取扱説明書カーＡＶ＆ナビゲーション
インターネット＜ＵＲＬ：
ｈｔｔｐ：／／ｗｗｗ．ｋｅｎｗｏｏｄ−ｓｅｒｖｉｃｅ．ｃｏｍ／ｉｍｄｌ／ｎａｖｉ／
Ｂ６４−２０５５−１０．ｐｄｆ
（４７ページ）＞
【０００４】
【発明が解決しようとする課題】
しかし、情報の表示の度にメニューに戻り、メニュー階層を再度たどって操作することは煩雑であるという問題があった。
【０００５】
本発明は、上記問題を解決するためのものであり、メニューに戻らず、またメニュー階層をたどることなく情報の表示の操作ができるナビゲーションシステムを提供することを目的とする。
【０００６】
【課題を解決するための手段】
上記目的を達成するために、本発明は、設定画面を表示手段に表示する表示実行手段と、表示手段に表示された設定画面の行先地の選択をユーザから受け付ける受付手段と、選択に基づいて選択された行先地に関する情報又は行先地の設定に用いる情報を表示する処理手段とを備える。すなわち、現在地及びユーザによって設定された行先地を含む設定画面を生成する生成手段と、情報を表示する表示手段と、前記現在地から前記行先地までの経路距離を算出する算出手段とを備え、前記表示手段の画面を介して情報の表示がなされるナビゲーションシステムにおいて、前記設定画面を前記表示手段に表示する表示実行手段と、前記表示手段に表示された前記設定画面の行先地の選択を前記ユーザから受け付ける受付手段と、前記選択に基づいて前記選択された前記行先地に関する情報又は前記行先地の設定に用いる情報を表示する処理手段とを備えることを特徴とするナビゲーションシステムが提供される。
【０００７】
また、本発明のナビゲーションシステムを構成する前記生成手段が前記現在地と前記行先地とを前記経路距離に対応させて表示した前記設定画面を生成することは、本発明の好ましい態様である。
【０００８】
また、本発明のナビゲーションシステムに前記設定画面の表示要求を入力する設定画面表示要求入力手段を更に備え、前記表示実行手段が前記設定画面の表示要求に基づいて前記設定画面を前記表示手段に表示することは、本発明の好ましい態様である。
【０００９】
また、本発明によれば、情報を表示する表示手段を備え、前記表示手段の画面を介して情報の表示がなされるナビゲーションシステムにおいて、ユーザが頻繁に使用する情報のリストである頻出リストを記憶する頻出リスト記憶手段と、前記頻出リストを前記表示手段に表示する表示実行手段と、前記表示手段に表示された前記頻出リストに挙げられた情報の選択を前記ユーザから受け付ける受付手段と、前記選択に基づいて前記選択された前記頻出リストに挙げられた情報の内容を表示する処理手段とを備えることを特徴とするナビゲーションシステムが提供される。
【００１０】
また、本発明のナビゲーションシステムに前記頻出リストの表示要求を入力する頻出リスト表示要求入力手段を更に備え、前記表示実行手段が前記頻出リストの表示要求に基づいて前記頻出リストを前記表示手段に表示することは、本発明の好ましい態様である。
【００１１】
【発明の実施の形態】
以下、本発明の実施の形態について、図１から図８を用いて説明する。図１は本発明の実施の形態におけるナビゲーションシステムの構成を示す図である。以下、ナビゲーションシステムとしてカーナビゲーションシステムで説明する。図１に示すように、カーナビゲーションシステム１００は、経路距離算出部１０１、設定画面生成部１０２、表示実行部１０３、受付部１０４、処理部１０５、表示部１０６、入力部１０７、記憶部１０８から構成されている。
【００１２】
経路距離算出部１０１は、従来のカーナビゲーションシステムにおいて行われている経路距離の算出と同様にＧＰＳ情報や交通情報などを受信し、ＧＰＳ情報、入力された行先地の情報、交通情報などに基づいて経路距離を算出する。設定画面生成部１０２は、現在地及びユーザによって設定された行先地を含む設定画面２００を生成する。設定画面２００に関しては後述する図２において説明する。また、設定画面生成部１０２は、経路距離に対応した設定画面２００を生成する。経路距離に対応した設定画面２００は、後述する図３及び図４の経路バー３００に該当するものである（以下、経路バー３００という）。経路バー３００には、経路距離の比に対応したものと経路距離の対数比に対応したものとがある。経路距離の比による経路バー３００は、経路距離の比によって現在地と行先地とを表示する。一方、経路距離の対数比による経路バー３００は、経路距離の対数比によって現在地と行先地とを表示する。対数比の場合の底は任意である。
【００１３】
表示実行部１０３は、設定画面２００及び頻出リストを後述する表示部１０６に表示する。また、表示実行部１０３は、後述する入力部１０７から入力された設定画面２００及び頻出リストの表示要求に基づいて、設定画面２００及び頻出リストを表示部１０６に表示する。受付部１０４は、表示部１０６に表示された設定画面２００の行先地の選択及び頻出リストに挙げられた情報の選択をユーザから受け付ける。処理部１０５は、行先地の選択に基づいて選択された行先地に関する情報又は行先地の設定に用いる情報、又は選択に基づいて選択された頻出リストに挙げられた情報の内容を表示する。上記行先地に関する情報とは行先地の地図などの情報である。また、行先地の設定に用いる情報（以下、設定変更情報という）とは設定変更後の候補地を決定する際に必要な都道府県名、市町村名、番地名などの情報である。
【００１４】
表示部１０６は、設定画面２００や後述する記憶部１０８に記憶された頻出リストなどの情報を表示する。入力部１０７は、ユーザからの設定画面２００の表示要求や頻出リストの表示要求を入力する。記憶部１０８は、ユーザが頻繁に使用する情報のリストである頻出リストを記憶する。この頻出リストは、例えば、お気に入りの機能ボタンのリスト、お気に入りポイント（位置）のリスト、選択履歴のリスト、道路の高低の断面図、行先地の検索結果が複数ある場合にそれぞれの位置関係を比較検討するためのリスト（例えば、ガソリンスタンドの周辺検索で検索された複数のガソリンスタンドの現在地からの位置関係を比較する情報リスト）などである。上記経路距離算出部１０１、設定画面生成部１０２、表示実行部１０３、受付部１０４、処理部１０５は、例えばＣＰＵに該当する。表示部１０６は、例えば液晶ディスプレイに該当する。入力部１０７は、例えば操作パネルやリモコンに該当する。記憶部１０８は、例えばＨＤＤ、ＲＯＭ、ＲＡＭに該当する。
【００１５】
以下に、表示部１０６における設定画面２００及び経路バー３００の表示について図２から図４を用いて説明する。図２は設定画面２００が表示された表示部１０６の画面を示す図である。図３は常時、経路バー３００が表示された表示部１０６の画面を示す図である。図４は経路バー３００の（ａ）表示要求がされる前と（ｂ）された後の表示部１０６の画面を示す図である。まず、図２について説明する。設定画面２００は現在地点２０１、中継地点２０２、目的地点２０３、修正部２０４から構成されている。中継地点２０２及び目的地点２０３は上記行先地に相当するものである。中継地点２０２は１つに限らず、複数設定されても構わない。設定画面２００は、表示部１０６の画面上の一部の領域に表示される。この表示領域は現在地の地図表示が認識できる範囲内の領域とする。また、設定画面２００は、表示部１０６の画面上において、経路案内を示す地図の視野を確保するために一部が透けていても構わない。
【００１６】
また、中継地点２０２を設定変更する場合、ユーザは中継地点２０２と修正部２０４とを操作パネルやリモコンなどによって選択することにより、設定変更情報を表示する画面（以下、設定変更画面２０５という）が表示部１０６の一部の領域に表示される。これにより、メニューに戻らずに容易に設定変更をすることができる。なお、設定変更画面２０５の表示領域は現在地の地図表示が認識できる範囲内の領域とする。また、設定変更画面２０５は、表示部１０６の画面上において経路案内を示す地図の視野を確保するために一部が透けていても構わない。また、ユーザが中継地点２０２を操作パネルやリモコンなどによって選択することにより、中継地点２０２の周辺地図が表示される。この地図表示は表示部１０６の画面全体での表示であっても一部の領域の表示であっても構わない。また、上記設定画面２００には不図示の後述する図４のような経路バー引出し部４００があり、これを選択することによって設定画面２００が表示されるようにしても構わない。
【００１７】
次に、図３について説明する。図３及び後述する図４の経路バー３００は、上述したように各地点間の経路距離に対応させて各地点を表示したものである。表示部１０６の画面上の経路バー３００は、現在地点２０１、中継地点２０２、目的地点２０３、修正部２０４から構成されている。中継地点２０２及び目的地点２０３は上記行先地に相当するものである。中継地点２０２は１つに限らず、複数設定されても構わない。経路バー３００は、表示部１０６の画面上の一部の領域に表示される。この表示領域は現在地の地図表示が認識できる範囲内の領域とする。また、経路バー３００は、表示部１０６の画面上において、経路案内を示す地図の視野を確保するために一部が透けていても構わない。現在地点２０１は、カーナビゲーションシステム１００を搭載した車両が中継地点２０２へ向かって移動すると経路距離が短くなるため、画面上中継地点２０２へ近づく。これにより、現在地と行先地との距離の把握を容易にすることもできる。
【００１８】
また、中継地点２０２を設定変更する場合、ユーザは中継地点２０２と修正部２０４とを操作パネルやリモコンなどによって選択することにより、設定変更画面２０５が表示部１０６の一部の領域に表示される。これにより、メニューに戻らずに容易に設定変更をすることができる。なお、この表示領域は現在地の地図表示が認識できる範囲内の領域とする。また、設定変更画面２０５は、表示部１０６の画面上において経路案内を示す地図の視野を確保するために一部が透けていても構わない。また、ユーザが中継地点２０２を操作パネルやリモコンなどによって選択することにより、中継地点２０２の周辺地図が表示される。この地図表示は表示部１０６の画面全体での表示であっても一部の領域の表示であっても構わない。
【００１９】
次に、図４について説明する。図４の（ａ）は経路バー３００の表示要求がされる前の表示部１０６の画面を示しており、（ｂ）は表示要求がされた後の表示部１０６の画面を示している。（ｂ）に示す表示部１０６の画面上の経路バー３００は、ユーザが（ａ）に示す表示部１０６の画面上の経路バー引出し部４００を選択することによって表示される。これにより、現在地点２０１、中継地点２０２、目的地点２０３の距離を容易に把握することができる。一方、経路バー３００を表示しない（ａ）に示す表示部１０６の画面に戻すには、（ｂ）に示す表示部１０６の画面上の経路バー格納部４０１を選択する。なお、（ｂ）に示す表示部１０６の画面上の経路バー３００及び設定変更画面２０５は、上記図３において説明した経路バー３００及び設定変更画面２０５と同様の機能及び表示方法であるため説明を省略する。
【００２０】
以下では、表示部１０６における汎用情報表示バー５００の表示について図５及び図６を用いて説明する。図５は、表示要求によって汎用情報表示バー５００が表示された表示部１０６の画面を示す図である。図６は、表示要求によらず常時、汎用情報表示バー５００を表示した表示部１０６の画面を示す図である。図５に示すように、ユーザの表示要求により汎用情報表示バー５００がスクロールし、頻出リストが表示される。ユーザは汎用情報表示バー５００上の頻出リストを参照して、例えば情報部５０２の１つである情報１を選択することにより情報１の内容を取得することができる。これにより、メニューに戻らずに容易に頻繁に使用する情報を取得することができる。汎用情報表示バー５００は、ユーザが表示部１０６の画面上の汎用情報表示バー引出し部５０１を選択することによって表示される。
【００２１】
一方、汎用情報表示バー５００を表示しない表示部１０６の画面に戻すには、ユーザが表示部１０６の画面上の汎用情報表示バー引出し部５０１を再度選択する。なお、汎用情報表示バー５００は、上述した経路バー３００と共に表示部１０６の画面上に表示することも可能である。また、汎用情報表示バー５００は、表示部１０６の画面上の一部の領域に表示される。この表示領域は現在地の地図表示が認識できる範囲内の領域とする。また、汎用情報表示バー５００は、表示部１０６の画面上において、経路案内を示す地図の視野を確保するために一部が透けていても構わない。ここで、上述した図５に示すユーザの表示要求によって汎用情報表示バー５００が表示される以外に、図６に示すように、汎用情報表示バー５００がユーザの表示要求によらず、常時表示されていることも想定される。
【００２２】
次に、本発明の実施の形態における表示要求による経路バー３００の表示、設定変更画面２０５の表示、中継地点２０２の周辺地図表示の動作について図７を用いて説明する。図７は、本発明の実施の形態における表示要求による経路バー３００の表示、設定変更画面２０５の表示、中継地点２０２の周辺地図表示の動作について説明するためのフローチャートである。図７に示すように、まず、表示実行部１０３は、操作パネルやリモコンなどによって経路バー引出し部４００が選択されたか否かを判断する（ステップＳ７０１）。表示実行部１０３は、経路バー引出し部４００が選択されたと判断した場合、経路バー３００をスクロールして表示部１０６の画面上に表示する（ステップＳ７０２）。次に、表示実行部１０３は、操作パネルやリモコンなどによって経路バー格納部４０１が選択されたか否かを判断する（ステップＳ７０３）。表示実行部１０３は、選択されたと判断した場合、経路バー３００を格納する（ステップＳ７０４）。
【００２３】
一方、処理部１０５は、経路バー格納部４０１が選択されていないと判断した場合、操作パネルやリモコンなどによって修正部２０４が選択されたか否かを判断する（ステップＳ７０５）。処理部１０５は、修正部２０４が選択されたと判断した場合、中継地点２０２が選択されたか否かを判断する（ステップＳ７０６）。処理部１０５は、中継地点２０２が選択されたと判断した場合、表示部１０６の画面上に設定変更画面２０５を表示する（ステップＳ７０７）。一方、ステップＳ７０５において修正部２０４が選択されていないと判断された場合、処理部１０５は中継地点２０２が選択されたか否かを判断する（ステップＳ７０８）。処理部１０５は、中継地点２０２が選択されたと判断した場合、表示部１０６の画面上に中継地周辺地図を表示する（ステップＳ７０９）。以上のステップにより、経路バー３００、設定変更画面２０５、中継地点２０２の周辺地図が表示される。
【００２４】
次に、本発明の実施の形態における表示要求による汎用情報表示バー５００の表示及び頻出リストの情報の表示の動作について図８を用いて説明する。図８は、本発明の実施の形態における表示要求による汎用情報表示バー５００の表示及び頻出リストの情報の表示の動作について説明するためのフローチャートである。図８に示すように、まず、表示実行部１０３は、操作パネルやリモコンなどによって汎用情報表示バー引出し部５０１が選択されたか否かを判断する（ステップＳ８０１）。表示実行部１０３は、選択されたと判断した場合、スクロールして汎用情報表示バー５００を表示部１０６の画面上に表示する（ステップＳ８０２）。
【００２５】
次に、表示実行部１０３は、操作パネルやリモコンなどによって汎用情報表示バー引出し部５０１が再度選択されたか否かを判断する（ステップＳ８０３）。表示実行部１０３は、選択されたと判断した場合、汎用情報表示バー５００を格納する（ステップＳ８０４）。一方、処理部１０５は、汎用情報表示バー引出し部５０１が再度選択されていないと判断した場合、操作パネルやリモコンなどによって情報部５０２が選択されたか否かを判断する（ステップＳ８０５）。処理部１０５は、情報部５０２が選択されたと判断した場合、情報部５０２に関する情報を表示する（ステップＳ８０６）。
【００２６】
このように、カーナビゲーションシステムで説明したが、カーナビゲーションシステムに限定されることなく、一般のナビゲーションシステムにおいても適用できる。
【００２７】
以上説明したように、本発明によれば、現在地及びユーザによって設定された行先地を含む設定画面を生成する生成手段と、情報を表示する表示手段と、現在地から行先地までの経路距離を算出する算出手段とを備え、表示手段の画面を介して情報の表示がなされるナビゲーションシステムにおいて、設定画面を表示手段に表示する表示実行手段と、表示手段に表示された設定画面の行先地の選択をユーザから受け付ける受付手段と、選択に基づいて選択された行先地に関する情報又は行先地の設定に用いる情報を表示する処理手段とを備えるので、メニューに戻らず、またメニュー階層をたどることなく情報の表示の操作ができる。
【００２８】
また、本発明によれば、情報を表示する表示手段を備え、表示手段の画面を介して情報の表示がなされるナビゲーションシステムにおいて、ユーザが頻繁に使用する情報のリストである頻出リストを記憶する頻出リスト記憶手段と、頻出リストを表示手段に表示する表示実行手段と、表示手段に表示された頻出リストに挙げられた情報の選択をユーザから受け付ける受付手段と、選択に基づいて選択された頻出リストに挙げられた情報の内容を表示する処理手段とを備えるので、メニューに戻らず、またメニュー階層をたどることなく情報の表示の操作ができる。
【図面の簡単な説明】
【図１】本発明の実施の形態におけるカーナビゲーションシステムの構成を示す図である。
【図２】本発明の実施の形態における設定画面が表示された表示部の画面を示す図である。
【図３】本発明の実施の形態における経路バーが常時表示された表示部の画面を示す図である。
【図４】本発明の実施の形態における経路バーの表示要求がされる前とされた後の表示部の画面を示す図である。
【図５】本発明の実施の形態における表示要求によって汎用情報表示バーが表示された表示部の画面を示す図である。
【図６】本発明の実施の形態における表示要求によらないで汎用情報表示バーが常時表示された表示部の画面を示す図である。
【図７】本発明の実施の形態における表示要求による経路バーの表示、設定変更画面の表示、中継地点の周辺地図表示の動作について説明するためのフローチャートである。
【図８】本発明の実施の形態における表示要求による汎用情報表示バーの表示及び頻出リストの情報の表示の動作について説明するためのフローチャートである。
【符号の説明】
１００  カーナビゲーションシステム
１０１  経路距離算出部（算出手段）
１０２  設定画面生成部（生成手段）
１０３  表示実行部（表示実行手段）
１０４  受付部（受付手段）
１０５  処理部（処理手段）
１０６  表示部（表示手段）
１０７  入力部（設定画面表示要求入力手段、頻出リスト表示要求入力手段）
１０８  記憶部（頻出リスト記憶手段）
２００  設定画面
２０１  現在地点
２０２  中継地点
２０３  目的地点
２０４  修正部
２０５  設定変更画面
３００  経路バー
４００  経路バー引出し部
４０１  経路バー格納部
５００  汎用情報表示バー
５０１  汎用情報表示バー引出し部
５０２  情報部
【図１】
2004294245.tif 000003
【図２】
2004294245.tif 000004
【図３】
2004294245.tif 000005
【図４】
2004294245.tif 000006
【図５】
2004294245.tif 000007
【図６】
2004294245.tif 000008
【図７】
2004294245.tif 000009
【図８】
2004294245.tif 000010